(57)【要約】【課題】イオン発生量が大きなイオン発生装置を提供する。【解決手段】この空気清浄機は、負イオンを発生する負イオン発生部１１と、正イオンを発生する正イオン発生部１２と、イオン発生部１１，１２の間隔Ｄを調整する駆動部１４と、イオン発生部１１，１２の設置位置の風速を検出する風速センサ１５と、風速センサ１５の検出結果に基づいて駆動部１４を制御し、イオン発生部１１，１２の間隔Ｄを最適値に設定するマイクロコンピュータ１６とを備える。したがって、イオン発生部１１，１２の間隔Ｄを最適値に設定するので、大きなイオン発生量を得ることができる。【選択図】図５
2011003448.tif 000002
【特許請求の範囲】
【請求項１】
正イオンおよび負イオンを発生するイオン発生方法であって、
正イオンを発生する第１のイオン発生部と、
負イオンを発生する第２のイオン発生部とを設け、
前記第１および第２のイオン発生部の間隔を調整してイオン発生量を調整する、イオン発生方法。
【請求項２】
前記第１および第２のイオン発生部の設置位置の風速に応じて、前記第１および第２のイオン発生部の間隔を調整する、請求項１に記載のイオン発生方法。
【請求項３】
正イオンおよび負イオンを発生するイオン発生装置であって、
正イオンを発生する第１のイオン発生部と、
負イオンを発生する第２のイオン発生部と、
前記第１および第２のイオン発生部の間隔を調整してイオン発生量を調整する第１の調整手段とを備える、イオン発生装置。
【請求項４】
前記第１の調整手段は、前記第１および第２のイオン発生部の設置位置の風速に応じて、前記第１および第２のイオン発生部の間隔を調整する、請求項３に記載のイオン発生装置。
【請求項５】
さらに、前記第１および第２のイオン発生部の設置位置の風速を検出する検出手段を備え、
前記第１の調整手段は、前記検出手段の検出結果に基づいて前記第１および第２のイオン発生部の間隔を調整する、請求項４に記載のイオン発生装置。
【請求項６】
さらに、前記第１および第２のイオン発生部の設置位置の風速を調整する第２の調整手段を備え、
前記第１の調整手段は、前記第２の調整手段から出力される前記風速を示す信号に応答して、前記第１および第２のイオン発生部の間隔を調整する、請求項４に記載のイオン発生装置。
【請求項７】
正イオンおよび負イオンを発生するイオン発生装置であって、
正イオンを発生する第１のイオン発生部と、
負イオンを発生する第２のイオン発生部とを備え、
前記第１および第２のイオン発生部の間隔が調整可能になっている、イオン発生装置。
【請求項８】
前記第１および第２のイオン発生部の間隔は、前記第１および第２のイオン発生部の設置位置の風速に応じて所定値に設定されている、請求項７に記載のイオン発生装置。
【請求項９】
正イオンおよび負イオンを発生するイオン発生装置であって、
正イオンを発生する第１のイオン発生部と負イオンを発生する第２のイオン発生部とを複数組備え、
各組の第１および第２のイオン発生部の間隔は他の組の第１および第２のイオン発生部の間隔と異なり、
さらに、前記第１および第２のイオン発生部の設置位置の風速に基づいて、前記複数組の第１および第２のイオン発生部のうちのいずれか１または２以上の組の第１および第２のイオン発生部を選択し、選択した各組の第１および第２のイオン発生部を活性化させる制御手段を備える、イオン発生装置。
【請求項１０】
さらに、前記第１および第２のイオン発生部の設置位置の風速を検出する検出手段を備え、
前記制御手段は、前記検出手段の検出結果に基づいて、前記複数組の第１および第２のイオン発生部のうちのいずれか１または２以上の組の第１および第２のイオン発生部を選択する、請求項９に記載のイオン発生装置。
【請求項１１】
さらに、前記第１および第２のイオン発生部の設置位置の風速を複数段階で切換える切換手段を備え、
前記制御手段は、前記切換手段から出力される前記風速の段階を示す信号に応答して、前記複数組の第１および第２のイオン発生部のうちのいずれか１または２以上の組の第１および第２のイオン発生部を選択する、請求項９に記載のイオン発生装置。
【請求項１２】
前記複数組の第１および第２のイオン発生部は１本の直線に沿って配置され、
各組の第１および第２のイオン発生部は、その組よりも間隔が大きな組の第１および第２のイオン発生部の間に配置されている、請求項９から請求項１１までのいずれかに記載のイオン発生装置。
【請求項１３】
前記第１および第２のイオン発生部は交互に配置されて各第１のイオン発生部の隣に前記第２のイオン発生部が配置され、
各隣接する第１および第２のイオン発生部の間隔は、他の隣接する第１および第２のイオン発生部の間隔と略等しい、請求項１２に記載のイオン発生装置。
【請求項１４】
前記第１のイオン発生部は、
第１の孔を有する第１の誘電電極と、
その先端が前記第１の孔の中央部に配置された第１の針電極と、
前記第１の針電極と前記第１の誘導電極との間に正電圧を印加する第１の電源回路とを含み、
前記第２のイオン発生部は、
第２の孔を有する第２の誘電電極と、
その先端が前記第２の孔の中央部に配置された第２の針電極と、
前記第２の針電極と前記第２の誘導電極との間に負電圧を印加する第２の電源回路とを含み、
前記第１および第２のイオン発生部の間隔は、前記第１および第２の針電極の間隔である、請求項３から請求項１３までのいずれかに記載のイオン発生装置。
【請求項１５】
請求項３から請求項１４までのいずれかに記載のイオン発生装置と、
前記イオン発生装置で発生した正イオンおよび負イオンを送出するための送風部とを備える、電気機器。
【発明の詳細な説明】
【技術分野】
【０００１】
この発明は正イオンおよび負イオンを発生するイオン発生方法と、イオン発生装置およびそれを用いた電気機器に関する。
【背景技術】
【０００２】
近年、正イオンと負イオンの両方を発生するイオン発生装置が実用化されている。図１９は、従来のイオン発生装置の要部を示す斜視図である。図１９において、このイオン発生装置は、基板９１と、基板９１の表面に搭載された誘導電極９２と、２本の針電極９８，９９とを備える。
【０００３】
誘導電極９２は、一体の金属板で形成されている。誘導電極９２の平板部９３には２つの貫通孔９４，９５が形成されており、平板部９３の周縁部には複数の支持部９６が形成されている。平板部９３の両端の支持部９６の各々の下端には、支持部９６よりも幅の狭い基板挿入部９７が形成されており、各基板挿入部９７は基板９１の貫通孔に挿入されて半田付けされている。２本の針電極９８，９９の各々は基板９１の貫通孔に挿入されて半田付けされている。針電極９８，９９の先端は、基板９１の表面に突出しており、それぞれ貫通孔９４，９５の中心に配置されている。
【０００４】
針電極９８，９９と誘導電極９２の間にそれぞれ正の高電圧パルスおよび負の高電圧パルスを印加すると、針電極９８，９９の先端部でコロナ放電が発生し、針電極９８，９９の先端部でそれぞれ正イオンおよび負イオンが発生する。発生した正イオンおよび負イオンは、送風機によって室内に送出され、空気中に浮遊するカビ菌やウィルスの周りを取り囲み、それらを分解する（たとえば、特許文献１参照）。
【先行技術文献】
【特許文献】
【０００５】
【特許文献１】特開２００７−３０５３２１号公報
【発明の概要】
【発明が解決しようとする課題】
【０００６】
しかし、従来のイオン発生装置では、イオン発生量が小さいと言う問題があった。
それゆえに、この発明の主たる目的は、イオン発生量が大きなイオン発生方法と、イオン発生装置およびそれを用いた電気機器を提供することである。
【課題を解決するための手段】
【０００７】
この発明に係るイオン発生方法は、正イオンおよび負イオンを発生するイオン発生方法であって、正イオンを発生する第１のイオン発生部と、負イオンを発生する第２のイオン発生部とを設け、第１および第２のイオン発生部の間隔を調整してイオン発生量を調整するものである。
【０００８】
好ましくは、第１および第２のイオン発生部の設置位置の風速に応じて、第１および第２のイオン発生部の間隔を調整する。
【０００９】
また、この発明に係るイオン発生装置は、正イオンおよび負イオンを発生するイオン発生装置であって、正イオンを発生する第１のイオン発生部と、負イオンを発生する第２のイオン発生部と、第１および第２のイオン発生部の間隔を調整してイオン発生量を調整する第１の調整手段とを備えたものである。
【００１０】
好ましくは、第１の調整手段は、第１および第２のイオン発生部の設置位置の風速に応じて、第１および第２のイオン発生部の間隔を調整する。
【００１１】
また好ましくは、さらに、第１および第２のイオン発生部の設置位置の風速を検出する検出手段を備え、第１の調整手段は、検出手段の検出結果に基づいて第１および第２のイオン発生部の間隔を調整する。
【００１２】
また好ましくは、さらに、第１および第２のイオン発生部の設置位置の風速を調整する第２の調整手段を備え、第１の調整手段は、第２の調整手段から出力される風速を示す信号に応答して、第１および第２のイオン発生部の間隔を調整する。
【００１３】
また、この発明に係る他のイオン発生装置は、正イオンおよび負イオンを発生するイオン発生装置であって、正イオンを発生する第１のイオン発生部と、負イオンを発生する第２のイオン発生部とを備えたものである。第１および第２のイオン発生部の間隔が調整可能になっている。
【００１４】
好ましくは、第１および第２のイオン発生部の間隔は、第１および第２のイオン発生部の設置位置の風速に応じて所定値に設定されている。
【００１５】
また、この発明に係るさらに他のイオン発生装置は、正イオンおよび負イオンを発生するイオン発生装置であって、正イオンを発生する第１のイオン発生部と負イオンを発生する第２のイオン発生部とを複数組備えたものである。各組の第１および第２のイオン発生部の間隔は他の組の第１および第２のイオン発生部の間隔と異なる。このイオン発生装置は、さらに、第１および第２のイオン発生部の設置位置の風速に基づいて、複数組の第１および第２のイオン発生部のうちのいずれか１または２以上の組の第１および第２のイオン発生部を選択し、選択した各組の第１および第２のイオン発生部を活性化させる制御手段を備える。
【００１６】
好ましくは、さらに、第１および第２のイオン発生部の設置位置の風速を検出する検出手段を備え、制御手段は、検出手段の検出結果に基づいて、複数組の第１および第２のイオン発生部のうちのいずれか１または２以上の組の第１および第２のイオン発生部を選択する。
【００１７】
また好ましくは、さらに、第１および第２のイオン発生部の設置位置の風速を複数段階で切換える切換手段を備え、制御手段は、切換手段から出力される風速の段階を示す信号に応答して、複数組の第１および第２のイオン発生部のうちのいずれか１または２以上のの組の第１および第２のイオン発生部を選択する。
【００１８】
また好ましくは、複数組の第１および第２のイオン発生部は１本の直線に沿って配置される。各組の第１および第２のイオン発生部は、その組よりも間隔が大きな組の第１および第２のイオン発生部の間に配置されている。
【００１９】
また好ましくは、第１および第２のイオン発生部は交互に配置されて各第１のイオン発生部の隣に第２のイオン発生部が配置されている。各隣接する第１および第２のイオン発生部の間隔は、他の隣接する第１および第２のイオン発生部の間隔と略等しい。
【００２０】
また好ましくは、第１のイオン発生部は、第１の孔を有する第１の誘電電極と、その先端が第１の孔の中央部に配置された第１の針電極と、第１の針電極と第１の誘導電極との間に正電圧を印加する第１の電源回路とを含む。第２のイオン発生部は、第２の孔を有する第２の誘電電極と、その先端が第２の孔の中央部に配置された第２の針電極と、第２の針電極と第２の誘導電極との間に負電圧を印加する第２の電源回路とを含む。第１および第２のイオン発生部の間隔は、第１および第２の針電極の間隔である。
【００２１】
また、この発明に係る電気機器は、上記イオン発生装置と、イオン発生装置で発生した正イオンおよび負イオンを送出するための送風部とを備えたものである。
【発明の効果】
【００２２】
この発明に係るイオン発生方法およびイオン発生装置では、正イオンを発生する第１のイオン発生部と、負イオンを発生する第２のイオン発生部とを設け、第１および第２のイオン発生部の間隔を調整してイオン発生量を調整する。したがって、第１および第２のイオン発生部の間隔を最適値に設定することができ、大きなイオン発生量を得ることができる。
【００２３】
また、この発明に係る他のイオン発生装置では、正イオンを発生する第１のイオン発生部と、負イオンを発生する第２のイオン発生部とが設けられ、第１および第２のイオン発生部の間隔が調整可能になっている。したがって、第１および第２のイオン発生部の間隔を最適値に設定することができ、大きなイオン発生量を得ることができる。
【００２４】
また、この発明に係るさらに他のイオン発生装置では、正イオンを発生する第１のイオン発生部と負イオンを発生する第２のイオン発生部とを複数組設け、各組の第１および第２のイオン発生部の間隔を他の組の第１および第２のイオン発生部の間隔と異ならせておき、第１および第２のイオン発生部の設置位置の風速に基づいて、複数組の第１および第２のイオン発生部のうちのいずれか１または２以上の組の第１および第２のイオン発生部を選択し、選択した各組の第１および第２のイオン発生部を活性化させる。したがって、風速に応じて最適な間隔の第１および第２のイオン発生部を選択することができ、大きなイオン発生量を得ることができる。
【図面の簡単な説明】
【００２５】
【図１】本願発明の原理を説明するための実験装置を示す図である。
【図２】図１に示した実験装置の実験結果を示す図である。
【図３】図２に示した実験結果が得られた理由を説明するための図である。
【図４】図２に示した実験結果が得られた理由を説明するための他の図である。
【図５】この発明の実施の形態１による空気清浄機のイオン発生装置の構成を示す図である。
【図６】図５に示した駆動部の制御に関連する部分を示すブロック図である。
【図７】図５に示した負イオン発生部の要部を示す図である。
【図８】図７に示した誘導電極を示す斜視図である。
【図９】図５に示した正イオン発生部の要部を示す図である。
【図１０】図５に示したイオン発生装置の構成を示す回路図である。
【図１１】実施の形態１の変更例を示すブロック図である。
【図１２】この発明の実施の形態２による空気清浄機のイオン発生装置の構成を示す図である。
【図１３】この発明の実施の形態３による空気清浄機のイオン発生装置の構成を示す図である。
【図１４】図１３に示したイオン発生装置の構成を示す回路図である。
【図１５】図１３に示したイオン発生装置の制御に関連する部分を示すブロック図である。
【図１６】実施の形態３の変更例を示すブロック図である。
【図１７】この発明の実施の形態４による空気清浄機の構成を概略的に示す斜視図である。
【図１８】図１６に示した空気清浄機にイオン発生装置を配置した様子を示す空気清浄機の分解図である。
【図１９】従来のイオン発生装置の要部を示す図である。
【発明を実施するための形態】
【００２６】
実施の形態について説明する前に、まず本願発明の原理について説明する。イオン発生装置においては、一般に、正イオン発生部と負イオン発生部の間隔を狭め過ぎると、正イオンと負イオンが再結合されてイオン発生量が減少することが分かっている。そこで、正イオン発生部と負イオン発生部の間隔は、ある値以上に大きくする必要がある。
【００２７】
本願発明者は、さらに、正イオン発生部と負イオン発生部の間隔を大きくし過ぎるとイオン発生量が却って減少すること、つまり正イオン発生部と負イオン発生部の間隔にはイオン発生量が最大になる最適な範囲があることを見出した。また、本願発明者は、正イオン発生部と負イオン発生部の間隔の最適な範囲は、イオン発生部が配置される位置の風速によって変わることを見出した。
【００２８】
図１（ａ）は、正イオン発生装置２と負イオン発生装置１の間隔Ｄと、イオン発生装置１，２が配置される位置の風速と、イオン発生量との関係を調べるために用いた実験装置の構成を示す平面図であり、図１（ｂ）は、その正面図である。
【００２９】
図１（ａ）（ｂ）において、この実験装置では、負イオン発生装置１の針電極１ａをＸＹ平面の原点に配置し、正イオン発生装置２の針電極２ａをＸ軸に配置した。針電極１ａ，２ａの先端は、Ｚ軸方向に向けた。負イオン発生装置１を固定し、正イオン発生装置２をＸ軸方向に移動させ、正イオン発生装置２の針電極２ａの先端と負イオン発生装置１の針電極１ａの先端との間隔Ｄを２０ｍｍから１２０ｍｍまでの間で６段階で変えた。
【００３０】
イオンカウンタ３の中心線をＹ軸に一致させ、イオンカウンタ３を原点方向に向けて配置した。原点からイオンカウンタ３までの距離Ｌは、２５０ｍｍに固定した。イオンカウンタ３のイオン取込口の直径は１００ｍｍである。イオン発生装置１，２を挟んでイオンカウンタ３の反対側に、送風用のダクト４をＸＹ平面上に配置した。ダクト４の長方形の出口４ａの下辺をイオン発生装置１，２の上端に沿わせてＸ軸に平行に配置した。ダクト４の入口４ｂに送風機（図示せず）を結合し、ダクト４の出口４ａから一定速度の風が均一に吹き出すように設定した。風速は、５ｍ／秒と８ｍ／秒の２段階で変えた。
【００３１】
図２（ａ）（ｂ）は、実験結果を示す図であり、イオン発生装置１，２の間隔Ｄとイオン濃度の関係を示す図である。図２（ａ）（ｂ）では、風速をそれぞれ８ｍ／秒および５ｍ／秒に設定した。図２（ａ）（ｂ）から分かるように、イオン濃度は風速が速い方が高くなる。
【００３２】
また、風速が８ｍ／秒の場合は、間隔Ｄが４０〜６０ｍｍの範囲でイオン濃度が最も高くなり、間隔Ｄを２０ｍｍ以下にするとイオン濃度はピーク値の半分程度以下になり、間隔Ｄを１００ｍｍ以上にすると正イオン濃度が激減するとともに負イオン濃度も減少する。また、風速が５ｍ／秒の場合は、間隔Ｄが４０〜８０ｍｍの範囲でイオン濃度が最も高くなり、間隔Ｄを２０ｍｍ以下にするとイオン濃度はピーク値の７割程度以下になり、間隔Ｄを１００ｍｍ以上にすると正イオン濃度が激減するとともに負イオン濃度も減少する。
【００３３】
したがって、イオン発生装置１，２の設置位置の風速が８ｍ／秒の場合は、イオン発生装置１，２の間隔Ｄを４０〜６０ｍｍの範囲内のたとえば５０ｍｍに設定すれば、イオン濃度が最も大きくなる。また、イオン発生装置１，２の設置位置の風速が５ｍ／秒の場合は、イオン発生装置１，２の間隔Ｄを４０〜８０ｍｍの範囲内のたとえば６０ｍｍに設定すれば、イオン濃度が最も大きくなる。
【００３４】
次に、このような実験結果が得られた理由について説明する。ダクト４を介して風を供給するとともにイオン発生装置１，２を放電させると、イオン発生装置１，２の針電極１ａ，２ａの下流にそれぞれ負イオン流および正イオン流が発生する。風速が大きい場合、図３（ａ）に示すように、針電極１ａの下流には負イオン濃度が所定値よりも大きな山型の負イオン領域Ａ１が発生し、針電極２ａの下流には正イオン濃度が所定値よりも大きな山型の正イオン領域Ｂ１が発生する。風速が小さい場合、図３（ｂ）に示すように、針電極１ａの下流には負イオン濃度が所定値よりも大きな山型の負イオン領域Ａ２が発生し、針電極２ａの下流には正イオン濃度が所定値よりも大きな山型の正イオン領域Ｂ２が発生する。
【００３５】
針電極１ａ，２ａで発生したイオンが風によって下流に流されるので、負イオン領域Ａ１のＹ軸方向（風の方向）の長さは負イオン領域Ａ２のＹ軸方向の長さよりも大きくなり、負イオン領域Ａ１のＸ軸方向の長さは負イオン領域Ａ２のＸ軸方向の長さよりも小さくなる。
【００３６】
また、風速が大きい場合は、針電極１ａ，２ａで発生したイオンが針電極１ａ，２ａから迅速に除去され、イオン発生が促進される。逆に、風速が小さい場合は、針電極１ａ，２ａで発生したイオンが針電極１ａ，２ａの周りで渋滞し、イオン発生が抑制される。したがって、風速が大きい場合は風速が小さい場合よりもイオン発生量が大きくなり、イオン領域Ａ１，Ｂ１の面積はそれぞれイオン領域Ａ２，Ｂ２の面積よりも大きくなる。このため、図２（ａ）（ｂ）では、風速が８ｍ／秒の場合のイオン濃度は風速が５ｍ／秒の場合のイオン濃度よりも大きくなっている。
【００３７】
図４は、イオン領域と、風速ｖと、針電極１ａ，２ａの間隔Ｄとの関係を示す図である。図４の最上欄に示すように、間隔Ｄが十分に大きい場合（Ｄ＝Ｄ１）、風速ｖが大きい場合（ｖ＝ｖ１）に発生するイオン領域Ａ１，Ｂ１と、風速ｖが小さい場合（ｖ＝ｖ２）に発生するイオン領域Ａ２，Ｂ２とは、図３（ａ）（ｂ）で示した通りである。
【００３８】
次に図４の第２欄に示すように、負イオン領域Ａ２と正イオン領域Ｂ２の裾が接触するまで間隔Ｄを小さくすると（Ｄ＝Ｄ２＜Ｄ１）、負イオン領域Ａ２の負イオンがクーロン力によって正イオン領域Ｂ２に吸引されるとともに、正イオン領域Ｂ２の正イオンがクーロン力によって負イオン領域Ａ２に吸引され、負イオン領域Ａ２と正イオン領域Ｂ２の間に混合領域Ｃ２が発生する。この混合領域Ｃ２は、風と同様に針電極１ａ，２ａからイオンを除去し、イオン発生を促進する。このため、図２（ａ）（ｂ）では、風速が５ｍ／秒の場合、イオン発生装置１，２の間隔Ｄが最適な範囲（４０〜８０ｍｍ）ではイオン濃度が最大になっている。
【００３９】
次いで図４の第３欄に示すように、負イオン領域Ａ１と正イオン領域Ｂ１の裾が接触するまで間隔Ｄを小さくすると（Ｄ＝Ｄ３＜Ｄ２）、負イオン領域Ａ１の負イオンがクーロン力によって正イオン領域Ｂ１に吸引されるとともに、正イオン領域Ｂ１の正イオンがクーロン力によって負イオン領域Ａ１に吸引され、負イオン領域Ａ１と正イオン領域Ｂ１の間に混合領域Ｃ１が発生する。この混合領域Ｃ１は、風と同様に針電極１ａ，２ａからイオンを除去し、イオン発生を促進する。このため、図２（ａ）（ｂ）では、風速が８ｍ／秒の場合、イオン発生装置１，２の間隔Ｄが最適な範囲（４０〜６０ｍｍ）ではイオン濃度が最大になっている。
【００４０】
一方、Ｄ＝Ｄ３，ｖ＝ｖ２の場合、負イオン領域Ａ２と正イオン領域Ｂ２が重なって再結合領域Ｅ２が発生する。再結合領域Ｅ２では、負イオンと正イオンが再結合して消滅する。このため、図２（ａ）（ｂ）では、風速が５ｍ／秒の場合、イオン発生装置１，２の間隔Ｄが２０ｍｍ以下になると、イオン濃度がピーク値の７割程度以下に低下している。
【００４１】
次に図４の第４欄に示すように、間隔Ｄをさらに小さくすると（Ｄ＝Ｄ４＜Ｄ３）、負イオン領域Ａ１と正イオン領域Ｂ１が重なって再結合領域Ｅ１が発生する。再結合領域Ｅ１では、負イオンと正イオンが再結合して消滅する。このため、図２（ａ）（ｂ）では、風速が８ｍ／秒の場合でも、イオン発生装置１，２の間隔Ｄが２０ｍｍ以下になると、イオン濃度がピーク値の７割程度以下に低下している。すなわち、イオン発生量は領域Ａ１，Ｂ１，Ｃ１（またはＡ２，Ｂ２，Ｃ２）の総面積に比例すると言える。
【００４２】
以上の実験結果から、針電極１ａ，２ａの間隔Ｄにはイオン発生量を最大にするのに最適な範囲が存在することと、その最適な範囲は針電極１ａ，２ａが配置されている位置の風速ｖによって変わることが分かった。
【００４３】
そこで、本願発明では、イオン発生装置の針電極１ａ，２ａの間隔Ｄを調整してイオン発生量を調整する。また、本願発明では、針電極１ａ，２ａが配置される位置の風速ｖに応じて、イオン発生装置の針電極１ａ，２ａの間隔Ｄを調整してイオン発生量を調整する。これにより、針電極１ａ，２ａの間隔Ｄを最適値に設定することが可能となり、イオン発生量を最大にすることができる。
【００４４】
[実施の形態１]
図５（ａ）は、この発明の実施の形態１による空気清浄機のイオン発生装置を示す平面図であり、図５（ｂ）はその正面図である。図５（ａ）（ｂ）において、このイオン発生装置は、負イオン発生部１１、正イオン発生部１２、レール１３、および駆動部１４を備える。負イオン発生部１１はレール１３の一方端部に固定され、駆動部１４はレール１３の他方端部に固定されている。正イオン発生部１２は、レール１３により、レール１３の長さ方向に移動可能に支持されている。また、正イオン発生部１２は、駆動部１４の駆動軸１４ａの先端に結合されている。
【００４５】
駆動部１４は、たとえばステッピングモータを含み、レール１３の長さ方向に駆動軸１４ａを伸縮することによって正イオン発生部１２を移動させ、負イオン発生部１１の針電極１１ａと正イオン発生部１２の針電極１２ａとの間隔Ｄを調整する。
【００４６】
なお、図５(ａ）では、針電極１１ａ，１２ａをそれぞれレール１３の一方端側および他方端側に向けてイオン発生部１１，１２を配置したが、針電極１１ａ，１２ａをそれぞれレール１３の他方端側および一方端側に向けてイオン発生部１１，１２を配置してもよい。また、針電極１１ａ，１２ａをともにレール１３の一方端側に向けてイオン発生部１１，１２を配置してもよいし、針電極１１ａ，１２ａをともにレール１３の他方端側に向けてイオン発生部１１，１２を配置してもよい。
【００４７】
図６に示すように、この空気清浄機は、さらに、風速センサ１５およびマイクロコンピュータ１６を備える。風速センサ１５は、イオン発生装置が配置されている位置の風速ｖを検出し、検出値を示す信号を出力する。マイクロコンピュータ１６は、風速センサ１５の出力信号に応答して駆動部１４を制御し、針電極１１ａ，１２ａの間隔Ｄを風速ｖに応じた最適値に設定する。マイクロコンピュータ１６は、風速ｖと針電極１１ａ，１２ａの間隔Ｄの最適値との関係を示す数式またはテーブルを記憶しており、風速ｖの検出値に応じて間隔Ｄを最適値に設定する。たとえば、図４で示したように、ｖ＝ｖ１の場合はＤ＝Ｄ３に設定し、ｖ＝ｖ２の場合はＤ＝Ｄ２に設定する。
【００４８】
図７（ａ）は、負イオン発生部１１の要部を示す平面図であり、同図（ｂ）はその正面図である。図７（ａ）（ｂ）において、この負イオン発生部１１は、基板２０、誘導電極２１、針電極１１ａ、およびダイオード２２を備える。基板１７は、長方形状のプリント基板である。誘導電極２１は、基板２０表面の一方端部（図中の左側端部）に搭載されている。
【００４９】
図８は、誘導電極２１を下側から見た斜視図である。図８において、誘導電極２１は、一体の金属板で形成されている。誘導電極２１の平板部２３の中央には円形の貫通孔２４が形成されている。貫通孔２４の直径は、たとえば９ｍｍである。貫通孔２４は、コロナ放電により発生するイオンを外部に放出するための開口部である。貫通孔２４の周縁部分は、たとえば絞り加工などの工法により、金属板を平板部２３に対して屈曲させた屈曲部２５となっている。この屈曲部２５により、貫通孔２４の周縁部の厚み（たとえば１．６ｍｍ）が平板部２３の厚み（たとえば０．６ｍｍ）よりも大きくなっている。
【００５０】
また、平板部２３の両端部の各々には、金属板の一部を平板部２３に対して屈曲させた脚部２６が設けられている。各脚部２６は、基端側の支持部２７と先端側の基板挿入部２８を含む。平板部２３の表面から見た支持部２７の高さ（たとえば２．６ｍｍ）は、貫通孔２４の周縁部の厚み（たとえば１．６ｍｍ）よりも大きくなっている。基板挿入部２８の幅（たとえば１．２ｍｍ）は、支持部２７の幅（たとえば４．５ｍｍ）よりも小さい。
【００５１】
図７（ａ）（ｂ）に戻って、誘導電極２１の２つの基板挿入部２８は、基板２０の一方端部に形成された２つの貫通孔（図示せず）に挿入されている。２つの貫通孔は、基板２０の長さ方向に配列されている。各基板挿入部２８の先端部は、基板２０裏面の電極に半田付けされている。支持部２７の下端面は、基板２０の表面に当接されている。したがって、平板部２３は、基板２０の表面に対して所定の隙間を開けて平行に配置される。誘導電極２１の基板挿入部２８は、基板１の裏面の電極ＥＬ１の一方端部に半田付けされている。電極ＥＬ１の他方端部は、端子Ｔ１に接続されている。
【００５２】
また、基板２０には、誘電電極２１の貫通孔２４の中心線を通す貫通孔（図示せず）が形成されており、その貫通孔に針電極１１ａが挿入されている。針電極１１ａは、負イオンを発生するために設けられている。針電極１１ａの先端は基板２０の表面上に突出し、その基端は基板２０の裏面に突出し、その中央部は基板２０の裏面に形成された電極ＥＬ２に半田付けされている。基板２０の表面から見た針電極１１ａの先端の高さは、誘導電極２１の屈曲部２５の下端の高さと上端の高さの間の範囲内に設定されている。
【００５３】
また、ダイオード２２のアノード端子線２２ａは電極ＥＬ２に半田付けされており、針電極１１ａに電気的に接続されている。ダイオード２２のカソード端子線２２ｂは、基板２０の裏面の電極ＥＬ３の一方端部に半田付けされている。電極ＥＬ３の他方端部は、端子Ｔ２に接続されている。
【００５４】
なお、基板２０には、ダイオード２２本体部を挿入したり、高電圧側の電極ＥＬ２，ＥＬ３と基準電圧側の電極ＥＬ１とを分離するための切欠き部２０ａが複数箇所に形成されている。切欠き部２０ａにはモールド樹脂が充填される。
【００５５】
図９（ａ）は、正イオン発生部１２の要部を示す平面図であり、同図（ｂ）はその正面図である。図９（ａ）（ｂ）において、この正イオン発生部１２は、基板３０、誘導電極３１、針電極１２ａ、およびダイオード３２を備える。基板３０は、長方形状のプリント基板である。誘導電極３１は、基板３０表面の一方端部（図中の左側端部）に搭載されている。誘導電極３１は、図８で示した誘導電極２１と同じ構成である。
【００５６】
誘導電極３１の２つの基板挿入部２８は、基板３０の一方端部に形成された２つの貫通孔（図示せず）に挿入されている。２つの貫通孔は、基板３０の長さ方向に配列されている。各基板挿入部２８の先端部は、基板３０裏面の電極に半田付けされている。支持部２７の下端面は、基板３０の表面に当接されている。したがって、平板部２３は、基板３０の表面に対して所定の隙間を開けて平行に配置される。誘導電極３１の基板挿入部２８は、基板３０の裏面の電極ＥＬ１１の一方端部に半田付けされている。電極ＥＬ１１の他方端部は、端子Ｔ１１に接続されている。
【００５７】
また、基板３０には、誘電電極３１の貫通孔２４の中心線を通す貫通孔（図示せず）が形成されており、その貫通孔に針電極１２ａが挿入されている。針電極１２ａは、正イオンを発生するために設けられている。針電極１２ａの先端は基板３０の表面上に突出し、その基端は基板３０の裏面に突出し、その中央部は基板３０の裏面に形成された電極ＥＬ１２に半田付けされている。基板３０の表面から見た針電極１２ａの先端の高さは、誘導電極３１の屈曲部２５の下端の高さと上端の高さの間の範囲内に設定されている。
【００５８】
また、ダイオード３２のカソード端子線３２ｂは電極ＥＬ１２に半田付けされており、針電極１２ａに電気的に接続されている。ダイオード３２のアノード端子線３２ａは、基板３０の裏面の電極ＥＬ１３の一方端部に半田付けされている。電極ＥＬ１３の他方端部は、端子Ｔ１２に接続されている。
【００５９】
なお、基板３０には、ダイオード３２本体部を挿入したり、高電圧側の電極ＥＬ１２，ＥＬ１３と基準電圧側の電極ＥＬ１１とを分離するための切欠き部３０ａが複数箇所に形成されている。切欠き部３０ａにはモールド樹脂が充填される。
【００６０】
図１０は、イオン発生部１１，１２の構成を示す電気回路図である。図１０において、負イオン発生部１１は、図７（ａ）（ｂ）で示した基板２０に加え、電源端子Ｔ２１、接地端子Ｔ２２、および電源回路３３を備える。電源回路３３は、ダイオード４０，４４，４８、抵抗素子４１〜４３，４５、ＮＰＮバイポーラトランジスタ４６、パルストランス４７，５１、コンデンサ４９、および２端子サイリスタ５０を含む。
【００６１】
電源端子Ｔ２１および接地端子Ｔ２２には、それぞれ直流電源の正極および負極が接続される。電源端子Ｔ２１には直流電源電圧（たとえば＋１２Ｖまたは＋１５Ｖ）が印加され、接地端子Ｔ２２は接地される。ダイオード４０および抵抗素子４１〜４３は、電源端子Ｔ２１とトランジスタ４６のベースとの間に直列接続される。トランジスタ４６のエミッタは接地端子Ｔ２２に接続される。ダイオード４４は、接地端子Ｔ２２とトランジスタ４６のベースとの間に接続される。
【００６２】
ダイオード４０は、直流電源の正極および負極が端子Ｔ２１，Ｔ２２に逆に接続された場合に電流を遮断して直流電源を保護するための素子である。抵抗素子４１，４２は、昇圧動作を制限するための素子である。抵抗素子４３は、起動抵抗素子である。ダイオード４４は、トランジスタ４６の逆耐圧保護素子として動作する。
【００６３】
パルストランス４７は、１次巻線４７ａ、ベース巻線４７ｂ、および２次巻線４７ｃを含む。１次巻線４７ａの一方端子は抵抗素子４２，４３間のノードＮ４２に接続され、その他方端子はトランジスタ４６のコレクタに接続される。ベース巻線４７ｂの一方端子は抵抗素子４５を介してトランジスタ４６のベースに接続される。２次巻線４７ｃの一方端子はトランジスタ４６のベースに接続され、その他方端子はダイオード４８およびコンデンサ４９を介して接地端子Ｔ２２に接続される。
【００６４】
パルストランス５１は、１次巻線５１ａおよび２次巻線５１ｂを含む。２端子サイリスタ５０は、ダイオード４８のカソードと１次巻線５１ａの一方端子との間に接続される。１次巻線５１ａの他方端子は接地端子Ｔ２２に接続される。２次巻線５１ｂの一方端子は誘導電極２１に接続され、その他方端子はダイオード２２のカソードに接続される。ダイオード２２のアノードは針電極１１ａに接続される。
【００６５】
抵抗素子４５は、ベース電流を制限するための素子である。２端子サイリスタ５０は、端子間電圧がブレークオーバー電圧に到達すると導通状態になり、電流が最小保持電流以下になると非導通になる素子である。
【００６６】
次に、この負イオン発生部１１の動作について説明する。コンデンサ４９は、ＲＣＣ方式スイッチング電源動作により充電される。すなわち、電源端子Ｔ２１および接地端子Ｔ２２間に直流電源電圧が印加されると、電源端子Ｔ２１からダイオード４０および抵抗素子４１〜４３を介してトランジスタ４６のベースに電流が流れてトランジスタ４６が導通状態となる。これにより、パルストランス４７の１次巻線４７ａに電流が流れ、ベース巻線４７ｂの端子間に電圧が発生する。
【００６７】
ベース巻線４７ｂの巻線方向は、トランジスタ４６が導通状態になるとトランジスタ４６をベース電圧をさらに上昇させるように設定されている。このため、ベース巻線４７ｂの端子間に発生した電圧は正帰還状態でトランジスタ４６の導通抵抗値を低下させる。このとき、ダイオード４８によって通電が阻止されるように、２次巻線４７ｃの巻線方向が設定されており、２次巻線４７ｃには電流が流れない。
【００６８】
このようにして１次巻線４７ａおよびトランジスタ４６に流れる電流が増加し続けることにより、トランジスタ４６のコレクタ電圧は飽和領域から外れて上昇する。これにより、１次巻線４７ａの端子間電圧が低下してベース巻線４７ｂの端子間電圧も低下し、トランジスタ４６のコレクタ電圧はさらに上昇する。このため、正帰還状態で動作して急速にトランジスタ４６が非導通状態になる。このとき、２次巻線４７ｃはダイオード４８の導通方向に電圧を発生する。これにより、コンデンサ４９が充電される。
【００６９】
コンデンサ４９の端子間電圧が上昇して２端子サイリスタ５０のブレークオーバー電圧に到達すると、２端子サイリスタ５０はツェナーダイオードのように動作してさらに電流を流す。２端子サイリスタ５０に流れる電流がブレークオーバー電流に到達すると、２端子サイリスタ５０は略短絡状態となり、コンデンサ４９に充電された電荷が２端子サイリスタ５０およびパルストランス５１の１次巻線５１ａを介して放電され、１次巻線５１ａにはインパルス電圧が発生する。
【００７０】
１次巻線５１ａにインパルス電圧が発生すると、２次巻線５１ｂに正および負の高電圧パルスが交互に減衰しながら発生する。負の高電圧パルスはダイオード２２を介して針電極１１ａに印加される。これにより、針電極１１ａの先端でコロナ放電が発生し、負イオンが発生する。
【００７１】
一方、パルストランス４７の２次巻線４７ｃに電流が流れると、１次巻線４７ａの端子間電圧が上昇して再度トランジスタ４６が導通し、以上の動作が繰り返される。この動作の繰り返し速度は、トランジスタ４６のベースに流れる電流が大きいほど速くなる。したがって、抵抗素子４１の抵抗値を調整することにより、トランジスタ４６のベースに流れる電流を調整し、ひいては針電極１１ａの放電回数を調整することができる。
【００７２】
また、正イオン発生部１２は、図９（ａ）（ｂ）で示した基板３０に加え、電源端子Ｔ２３、接地端子Ｔ２４、および電源回路３４を備える。電源回路３４は、電源回路３３と同じ構成である。電源端子Ｔ２３および接地端子Ｔ２４には、それぞれ直流電源の正極および負極が接続される。電源端子Ｔ２３には直流電源電圧（たとえば＋１２Ｖまたは＋１５Ｖ）が印加され、接地端子Ｔ２４は接地される。
【００７３】
パルストランス５１の２次巻線５１ｂの一方端子は誘導電極３１に接続され、その他方端子はダイオード３２のアノードに接続される。ダイオード３２のカソードは針電極１２ａに接続される。誘導電極３１は、誘導電極２１に接続される。
【００７４】
電源端子Ｔ２１および接地端子Ｔ２２間に直流電源電圧が印加されると、パルストランス５１の１次巻線５１ａにインパルス電圧が発生する。１次巻線５１ａにインパルス電圧が発生すると、２次巻線５１ｂに正および負の高電圧パルスが交互に減衰しながら発生する。正の高電圧パルスはダイオード３２を介して針電極１２ａに印加される。これにより、針電極１２ａの先端でコロナ放電が発生し、正イオンが発生する。
【００７５】
なお、正イオンは、水素イオン（Ｈ＋）の周囲に複数の水分子が付随したクラスターイオンであり、Ｈ＋（Ｈ２Ｏ）ｍ（ただし、ｍは任意の自然数である）と表わされる。また負イオンは、酸素イオン（Ｏ２−）の周囲に複数の水分子が付随したクラスターイオンであり、Ｏ２−（Ｈ２Ｏ）ｎ（ただし、ｎは任意の自然数である）と表わされる。また、正イオンおよび負イオンを室内に放出すると、両イオンが空気中を浮遊するカビ菌やウィルスの周りを取り囲み、その表面上で互いに化学反応を起こす。その際に生成される活性種の水酸化ラジカル（・ＯＨ）の作用により、浮遊カビ菌などが除去される。
【００７６】
この実施の形態１では、イオン発生装置の設置位置の風速ｖに応じて、針電極１１ａ，１２ａの間隔Ｄを最適値に設定するので、大きなイオン発生量を得ることができる。
【００７７】
図１１は、この実施の形態１の変更例を示すブロック図であって、図６と対比される図である。図１１において、この変更例では、風速センサ１５が風速調整部５２で置換される。空気清浄機の使用者が風速調整部５２を使用して風速を設定すると、設定された風速を示す信号が風速調整部５２からマイクロコンピュータ７８に出力される。マイクロコンピュータ１６は、風速調整部５２の出力信号に応答して、ファン（図示せず）を制御して風速ｖを設定するとともに、その風速ｖに合わせて駆動部１４を制御し、間隔Ｄを最適値に設定する。この変更例でも、実施の形態１と同じ効果が得られる。
【００７８】
[実施の形態２]
図１２（ａ）は、この発明の実施の形態２による空気清浄機のイオン発生装置の構成を示す平面図であり、図１２（ｂ）はその正面図である。図１２（ａ）（ｂ）において、このイオン発生装置は、負イオン発生部１１、正イオン発生部１２、レール１３、スペーサ５３、およびストッパ５４を備える。負イオン発生部１１はレール１３の一方端部に固定されている。正イオン発生部１２は、レール１３により、レール１３の長さ方向に移動可能に支持されている。
【００７９】
この空気清浄機では、イオン発生装置の設置位置の風速ｖが固定されている。風速ｖが固定されている場合は、針電極１１ａ，１２ａの間隔Ｄを最適値に固定すれば、大きなイオン発生量を得ることができる。そこで、このイオン発生装置では、間隔Ｄを最適値に設定するためのスペーサ５３をイオン発生部１１，１２の間に設け、スペーサ５２および正イオン発生部１２をストッパ５４によって固定する。
【００８０】
イオン発生装置の設置位置の風速ｖが固定され、かつ風速ｖが異なる複数種類の空気清浄機がある場合、それぞれ複数種類の空気清浄機において間隔Ｄを最適値に設定するための複数種類のスペーサ５３を用意しておく。また、複数種類の空気清浄機においてイオン発生部１１，１２、レール１３、およびストッパ５４を共通に使用し、スペーサ５３だけを空気清浄機の種類に応じて変える。これにより、複数種類の空気清浄機において部品の共通化を図ることができ、装置の低価格化を図ることができる。
【００８１】
[実施の形態３]
図１３は、この発明の実施の形態３による空気清浄機のイオン発生装置の構成を示す平面図である。図１３において、このイオン発生装置は、直方体状の筐体の上面に露出した４本の針電極６１〜６４を含む。針電極６１，６３の各々は負イオンを発生し、針電極６２，６４の各々は正イオンを発生する。針電極６１〜６４は１本の直線に沿って配置され、針電極６１と６４、６２と６３は、それぞれ対を成している。針電極６２，６３の間隔Ｄ１１は、針電極６１，６４の間隔Ｄ１２よりも小さい。針電極６１，６２の間隔と針電極６２，６３の間隔と針電極６３，６４の間隔とは略等しい。イオン発生装置の設置位置の風速ｖが大きい場合は内側の２本の針電極６２，６３でイオンが生成され、イオン発生装置の設置位置の風速ｖが小さい場合は外側の２本の針電極６１，６４でイオンが生成される。
【００８２】
図１４は、このイオン発生装置の構成を示す回路図である。図１４において、このイオン発生装置では、針電極６１〜６４の他、誘導電極６５〜６８、ダイオード７１〜７４、電源回路７５，７６、電源端子Ｔ３１、および接地端子Ｔ３２を備える。電源回路７５は図１０の電源回路３３にスイッチＳＷ１を追加したものであり、電源回路７６は電源回路３３にスイッチＳＷ２を追加したものである。
【００８３】
電源端子Ｔ３１および接地端子Ｔ３２には、それぞれ直流電源の正極および負極が接続される。電源端子Ｔ３１には直流電源電圧（たとえば＋１２Ｖまたは＋１５Ｖ）が印加され、接地端子Ｔ３２は接地される。スイッチＳＷ１は、接地端子Ｔ３２と電源回路７５のダイオード４４のアノードとの間に接続される。スイッチＳＷ２は、接地端子Ｔ３２と電源回路７６のダイオード４４のアノードとの間に接続される。
【００８４】
一方、針電極６１〜６４の先端は、それぞれ誘導電極６５〜６８の孔の中心に配置される。誘導電極６５〜６８は、電気的に互いに接続されている。電源回路７５のパルストランス５１の２次巻線５１ｂの一方端子は誘導電極６５〜６８に接続され、その他方端子はダイオード７１のカソードおよびダイオード７４のアノードに接続される。ダイオード７１のアノードは針電極６１に接続され、ダイオード７４のカソードは針電極６４に接続される。
【００８５】
電源回路７６のパルストランス５１の２次巻線５１ｂの一方端子は誘導電極６５〜６８に接続され、その他方端子はダイオード７３のカソードおよびダイオード７２のアノードに接続される。ダイオード７３のアノードは針電極６３に接続され、ダイオード７２のカソードは針電極６２に接続される。
【００８６】
スイッチＳＷ１がオンされると、電源回路７５に直流電源電圧が供給され、電源回路７５のパルストランス５１の１次巻線５１ａにインパルス電圧が発生する。１次巻線５１ａにインパルス電圧が発生すると、２次巻線５１ｂに正および負の高電圧パルスが交互に減衰しながら発生する。正の高電圧パルスはダイオード７４を介して針電極６４に印加され、負の高電圧パルスはダイオード７１を介して針電極６１に印加される。これにより、針電極６１，６４の先端でコロナ放電が発生し、負イオンおよび正イオンが発生する。
【００８７】
スイッチＳＷ２がオンされると、電源回路７６に直流電源電圧が供給され、電源回路７６のパルストランス５１の１次巻線５１ａにインパルス電圧が発生する。１次巻線５１ａにインパルス電圧が発生すると、２次巻線５１ｂに正および負の高電圧パルスが交互に減衰しながら発生する。正の高電圧パルスはダイオード７２を介して針電極６２に印加され、負の高電圧パルスはダイオード７３を介して針電極６３に印加される。これにより、針電極６３，６２の先端でコロナ放電が発生し、負イオンおよび正イオンが発生する。
【００８８】
図１５に示すように、この空気清浄機は、さらに、風速センサ７７およびマイクロコンピュータ７８を備える。風速センサ７７は、イオン発生装置が配置されている位置の風速ｖを検出し、検出値を示す信号を出力する。マイクロコンピュータ７８は、風速センサ７７の出力信号に基づいて、風速ｖが小さい場合は、制御信号ＣＮＴ１，ＣＮＴ２をそれぞれ「Ｈ」レベルおよび「Ｌ」レベルにする。これにより、スイッチＳＷ１，ＳＷ２のうちのスイッチＳＷ１のみがオンし、外側の２本の針電極６１，６４でイオンが発生する。
【００８９】
また、マイクロコンピュータ７８は、風速センサ７７の出力信号に基づいて、風速ｖが大きい場合は、制御信号ＣＮＴ１，ＣＮＴ２をそれぞれ「Ｌ」レベルおよび「Ｈ」レベルにする。これにより、スイッチＳＷ１，ＳＷ２のうちのスイッチＳＷ２のみがオンし、内側の２本の針電極６２，６３でイオンが発生する。
【００９０】
この実施の形態３では、イオン発生装置の設置位置の風速ｖに応じて、針電極の間隔Ｄを最適値に設定するので、大きなイオン発生量を得ることができる。
【００９１】
なお、この実施の形態３では、風速ｖが大きい場合は、内側の２本の針電極６２，６３を放電させたが、全部の針電極６１〜６４を放電させてもよい。この場合、マイクロコンピュータ７８は、風速センサ７７の出力信号に基づいて、風速ｖが大きい場合は、制御信号ＣＮＴ１，ＣＮＴ２をともに「Ｈ」レベルにする。これにより、スイッチＳＷ１，ＳＷ２がともにオンし、全部の針電極６１〜６４でイオンが発生し、より大きなイオン発生量を得ることができる。
【００９２】
図１６は、この実施の形態３の変更例を示すブロック図であって、図１５と対比される図である。図１６において、この変更例では、風速センサ７７が風速切換部７９で置換される。空気清浄機の使用者が風速切換部７９を使用して風速を「強」または「弱」に切換えると、「強」または「弱」を示す信号が風速切換部７９からマイクロコンピュータ７８に出力される。マイクロコンピュータ７８は、風速切換部７９の出力信号に応答して、ファン（図示せず）を制御して風速を「強」または「弱」に切換えるとともに、その風速に合わせて制御信号ＣＮＴ１，ＣＮＴ２を生成し、間隔Ｄを最適値に設定する。この変更例でも、実施の形態３と同じ効果が得られる。
【００９３】
[実施の形態４]
図１７は、実施の形態１〜３のいずれかに示したイオン発生装置を備えた空気清浄機８０の構成を概略的に示す斜視図である。また図１８は、図１７に示す空気清浄機８０にイオン発生装置を配置した様子を示す空気清浄機８０の分解図である。
【００９４】
図１７および図１８において、空気清浄機８０は、前面パネル８１と本体８２とを備える。本体８２の後方上部には吹き出し口８３が設けられており、この吹き出し口８３からイオンを含む清浄な空気が室内に供給される。本体８２の中心には空気取り入れ口８４が形成されている。この空気取り入れ口８４から取り込まれた空気が、図示しないフィルターを通過することで清浄化される。清浄化された空気は、ファン用ケーシング８５を通じて、吹き出し口８３から外部へ供給される。
【００９５】
清浄化された空気の通過経路を形成するファン用ケーシング８５の一部に、実施の形態１〜３のいずれかで示したイオン発生装置８６が取り付けられている。イオン発生装置８６は、２本の針電極で発生したイオンを上記の空気流に放出できるように配置されている。イオン発生装置８６の配置の例として、空気の通過経路内であって、吹き出し口８３に比較的近い位置Ｐ１、比較的遠い位置Ｐ２などの位置が考えられる。このようにイオン発生装置８６に送風を通過させることにより、吹き出し口８３から清浄な空気とともに外部にイオンを供給するイオン発生機能を空気清浄機８０に持たせることが可能になる。
【００９６】
なお、本実施の形態のイオン発生装置は、空気清浄機８０以外に、イオンジェネレータ（イオン発生装置付きサーキュレータ）、空気調和機（エアコンディショナー）、冷蔵機器、掃除機、加湿機、除湿機、洗濯乾燥機、洗濯機、電気ファンヒータなどにも搭載可能であり、イオンを気流に乗せて送るための送風部を有するものであればどのような電気機器にも搭載可能である。
【００９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９８】
１  負イオン発生装置、１ａ，２ａ，１１ａ，１２ａ，６１〜６４，９８，９９  針電極、２  正イオン発生装置、３  イオンカウンタ、４  ダクト、１１  負イオン発生部、１２  正イオン発生部、１３  レール、１４  駆動部、１５，７７  風速センサ、１６，７８  マイクロコンピュータ、２０，３０  基板、２１，３１，６５〜６８，９２  誘導電極、２２，３２，４０，４４，４８，７１〜７４  ダイオード、２３，９３  平板部、２４，９４，９５  貫通孔、２５  屈曲部、２６  脚部、２７，９６  支持部、２８，９７  基板挿入部、ＥＬ  電極、Ｔ１，Ｔ２，Ｔ１１，Ｔ１２  端子、Ｔ２１，Ｔ３１  電源端子、Ｔ２２，Ｔ３２  接地端子、３３，３４，７５，７６  電源回路、４１〜４３，４５  抵抗素子、４６  ＮＰＮバイポーラトランジスタ、４７，５１  パルストランス、４７ａ，５１ａ  １次巻線、４７ｂ  ベース巻線、４７ｃ，５１ｂ  ２次巻線、４９  コンデンサ、５０  ２端子サイリスタ、５２  風速調整部、５３  スペーサ、５４  ストッパ、７９  風速切換部、８０  空気清浄機、８１  前面パネル、８２  本体、８３  吹き出し口、８４  空気取り入れ口、８５  ファン用ケーシング、８６  イオン発生装置。
【図１】
2011003448.tif 000003
【図２】
2011003448.tif 000004
【図３】
2011003448.tif 000005
【図４】
2011003448.tif 000006
【図５】
2011003448.tif 000007
【図６】
2011003448.tif 000008
【図７】
2011003448.tif 000009
【図８】
2011003448.tif 000010
【図９】
2011003448.tif 000011
【図１０】
2011003448.tif 000012
【図１１】
2011003448.tif 000013
【図１２】
2011003448.tif 000014
【図１３】
2011003448.tif 000015
【図１４】
2011003448.tif 000016
【図１５】
2011003448.tif 000017
【図１６】
2011003448.tif 000018
【図１７】
2011003448.tif 000019
【図１８】
2011003448.tif 000020
【図１９】
2011003448.tif 000021
【手続補正書】
【提出日】平成22年9月16日(2010.9.16)
【手続補正１】
【補正対象書類名】明細書
【補正対象項目名】０００７
【補正方法】変更
【補正の内容】
【０００７】
この発明に係るイオン発生方法は、正イオンおよび負イオンを発生するイオン発生方法であって、正イオンを発生する第１のイオン発生部と、負イオンを発生する第２のイオン発生部とを設け、第１および第２のイオン発生部の設置位置の風速に応じて、第１および第２のイオン発生部の間隔を調整してイオン発生量を調整するものである。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
また、この発明に係るイオン発生装置は、正イオンおよび負イオンを発生するイオン発生装置であって、正イオンを発生する第１のイオン発生部と、負イオンを発生する第２のイオン発生部と、第１および第２のイオン発生部の設置位置の風速に応じて、第１および第２のイオン発生部の間隔を調整してイオン発生量を調整する第１の調整手段とを備えたものである。
【手続補正４】
【補正対象書類名】明細書
【補正対象項目名】００１０
【補正方法】削除
【補正の内容】
【手続補正５】
【補正対象書類名】明細書
【補正対象項目名】００１３
【補正方法】変更
【補正の内容】
【００１３】
また、この発明に係る他のイオン発生装置は、正イオンおよび負イオンを発生するイオン発生装置であって、正イオンを発生する第１のイオン発生部と、負イオンを発生する第２のイオン発生部とを備えたものである。第１および第２のイオン発生部の間隔は、調整可能になっていて、第１および第２のイオン発生部の設置位置の風速に応じて所定値に設定されている。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
また、この発明に係るさらに他のイオン発生装置は、正イオンおよび負イオンを発生するイオン発生装置であって、正イオンを発生する第１のイオン発生部と負イオンを発生する第２のイオン発生部とを複数組備えたものである。各組の第１および第２のイオン発生部の間隔は他の組の第１および第２のイオン発生部の間隔と異なる。複数組の第１および第２のイオン発生部は１本の直線に沿って配置され、各組の第１および第２のイオン発生部は、その組よりも間隔が大きな組の第１および第２のイオン発生部の間に配置されている。このイオン発生装置は、さらに、第１および第２のイオン発生部の設置位置の風速に基づいて、複数組の第１および第２のイオン発生部のうちのいずれか１または２以上の組の第１および第２のイオン発生部を選択し、選択した各組の第１および第２のイオン発生部を活性化させる制御手段を備える。
【手続補正８】
【補正対象書類名】明細書
【補正対象項目名】００１８
【補正方法】削除
【補正の内容】
【手続補正９】
【補正対象書類名】明細書
【補正対象項目名】００２２
【補正方法】変更
【補正の内容】
【００２２】
この発明に係るイオン発生方法およびイオン発生装置では、正イオンを発生する第１のイオン発生部と、負イオンを発生する第２のイオン発生部とを設け、第１および第２のイオン発生部の設置位置の風速に応じて、第１および第２のイオン発生部の間隔を調整してイオン発生量を調整する。したがって、第１および第２のイオン発生部の間隔を最適値に設定することができ、大きなイオン発生量を得ることができる。
【手続補正１０】
【補正対象書類名】明細書
【補正対象項目名】００２３
【補正方法】変更
【補正の内容】
【００２３】
また、この発明に係る他のイオン発生装置では、正イオンを発生する第１のイオン発生部と、負イオンを発生する第２のイオン発生部とが設けられ、第１および第２のイオン発生部の間隔は、調整可能になっていて、第１および第２のイオン発生部の設置位置の風速に応じて所定値に設定されている。したがって、第１および第２のイオン発生部の間隔を最適値に設定することができ、大きなイオン発生量を得ることができる。
【手続補正１１】
【補正対象書類名】明細書
【補正対象項目名】００２４
【補正方法】変更
【補正の内容】
【００２４】
また、この発明に係るさらに他のイオン発生装置では、正イオンを発生する第１のイオン発生部と負イオンを発生する第２のイオン発生部とを複数組設け、各組の第１および第２のイオン発生部の間隔を他の組の第１および第２のイオン発生部の間隔と異ならせておき、複数組の第１および第２のイオン発生部を１本の直線に沿って配置し、各組の第１および第２のイオン発生部を、その組よりも間隔が大きな組の第１および第２のイオン発生部の間に配置する。また、第１および第２のイオン発生部の設置位置の風速に基づいて、複数組の第１および第２のイオン発生部のうちのいずれか１または２以上の組の第１および第２のイオン発生部を選択し、選択した各組の第１および第２のイオン発生部を活性化させる。したがって、風速に応じて最適な間隔の第１および第２のイオン発生部を選択することができ、大きなイオン発生量を得ることができる。
【手続補正１２】
【補正対象書類名】特許請求の範囲
【補正対象項目名】全文
【補正方法】変更
【補正の内容】
【特許請求の範囲】
【請求項１】
正イオンおよび負イオンを発生するイオン発生方法であって、
正イオンを発生する第１のイオン発生部と、
負イオンを発生する第２のイオン発生部とを設け、
前記第１および第２のイオン発生部の設置位置の風速に応じて、前記第１および第２のイオン発生部の間隔を調整してイオン発生量を調整する、イオン発生方法。
【請求項２】
正イオンおよび負イオンを発生するイオン発生装置であって、
正イオンを発生する第１のイオン発生部と、
負イオンを発生する第２のイオン発生部と、
前記第１および第２のイオン発生部の設置位置の風速に応じて、前記第１および第２のイオン発生部の間隔を調整してイオン発生量を調整する第１の調整手段とを備える、イオン発生装置。
【請求項３】
さらに、前記第１および第２のイオン発生部の設置位置の風速を検出する検出手段を備え、
前記第１の調整手段は、前記検出手段の検出結果に基づいて前記第１および第２のイオン発生部の間隔を調整する、請求項２に記載のイオン発生装置。
【請求項４】
さらに、前記第１および第２のイオン発生部の設置位置の風速を調整する第２の調整手段を備え、
前記第１の調整手段は、前記第２の調整手段から出力される前記風速を示す信号に応答して、前記第１および第２のイオン発生部の間隔を調整する、請求項２に記載のイオン発生装置。
【請求項５】
正イオンおよび負イオンを発生するイオン発生装置であって、
正イオンを発生する第１のイオン発生部と、
負イオンを発生する第２のイオン発生部とを備え、
前記第１および第２のイオン発生部の間隔は、調整可能になっていて、前記第１および第２のイオン発生部の設置位置の風速に応じて所定値に設定されている、イオン発生装置。
【請求項６】
正イオンおよび負イオンを発生するイオン発生装置であって、
正イオンを発生する第１のイオン発生部と負イオンを発生する第２のイオン発生部とを複数組備え、
各組の第１および第２のイオン発生部の間隔は他の組の第１および第２のイオン発生部の間隔と異なり、
前記複数組の第１および第２のイオン発生部は１本の直線に沿って配置され、
各組の第１および第２のイオン発生部は、その組よりも間隔が大きな組の第１および第２のイオン発生部の間に配置され、
さらに、前記第１および第２のイオン発生部の設置位置の風速に基づいて、前記複数組の第１および第２のイオン発生部のうちのいずれか１または２以上の組の第１および第２のイオン発生部を選択し、選択した各組の第１および第２のイオン発生部を活性化させる制御手段を備える、イオン発生装置。
【請求項７】
さらに、前記第１および第２のイオン発生部の設置位置の風速を検出する検出手段を備え、
前記制御手段は、前記検出手段の検出結果に基づいて、前記複数組の第１および第２のイオン発生部のうちのいずれか１または２以上の組の第１および第２のイオン発生部を選択する、請求項６に記載のイオン発生装置。
【請求項８】
さらに、前記第１および第２のイオン発生部の設置位置の風速を複数段階で切換える切換手段を備え、
前記制御手段は、前記切換手段から出力される前記風速の段階を示す信号に応答して、前記複数組の第１および第２のイオン発生部のうちのいずれか１または２以上の組の第１および第２のイオン発生部を選択する、請求項６に記載のイオン発生装置。
【請求項９】
前記第１および第２のイオン発生部は交互に配置されて各第１のイオン発生部の隣に前記第２のイオン発生部が配置され、
各隣接する第１および第２のイオン発生部の間隔は、他の隣接する第１および第２のイオン発生部の間隔と略等しい、請求項６から請求項８までのいずれかに記載のイオン発生装置。
【請求項１０】
前記第１のイオン発生部は、
第１の孔を有する第１の誘電電極と、
その先端が前記第１の孔の中央部に配置された第１の針電極と、
前記第１の針電極と前記第１の誘導電極との間に正電圧を印加する第１の電源回路とを含み、
前記第２のイオン発生部は、
第２の孔を有する第２の誘電電極と、
その先端が前記第２の孔の中央部に配置された第２の針電極と、
前記第２の針電極と前記第２の誘導電極との間に負電圧を印加する第２の電源回路とを含み、
前記第１および第２のイオン発生部の間隔は、前記第１および第２の針電極の間隔である、請求項２から請求項９までのいずれかに記載のイオン発生装置。
【請求項１１】
請求項２から請求項１０までのいずれかに記載のイオン発生装置と、
前記イオン発生装置で発生した正イオンおよび負イオンを送出するための送風部とを備える、電気機器。